(57)【要約】      （修正有）【課題】履物の踵部を使用者の用途及び趣向に応じて多様な形態の踵に簡便に交替することができるように構成し、履物を長期間使っても飽きないで環境に合わせて多様な機能性を向上させた踵交替型履物を提供する。【解決手段】使用者の足裏全体を支持する底１１０及び足の周辺を取り囲む甲皮１２０からなる履物本体１００と、履物本体の底の底面部に突設され、第１結合部２１０が形成されているベース踵２００と、ベース踵の下部に結合し、第１結合部に向き合う位置に第２結合部３１０が形成されて互いに結合する交替用踵３００とを含む。【選択図】図１
0003226944.tif 000002
【実用新案登録請求の範囲】
【請求項１】
使用者の足裏全体を支持する底（１１０）及び足の周辺を取り囲む甲皮（１２０）からなる履物本体（１００）と、
前記履物本体（１００）の底（１１０）の底面部に突設され、第１結合部（２１０）が形成されているベース踵（２００）と、
前記ベース踵（２００）の下部に結合し、第１結合部（２１０）に向き合う位置に第２結合部（３１０）が形成されて互いに結合する交替用踵（３００）と、を含んでなることを特徴とする、踵交替型履物。
【請求項２】
前記第１結合部（２１０）と前記第２結合部（３１０）の結合構造は雌雄型ネジ締結によってなされることを特徴とする、請求項１に記載の踵交替型履物。
【請求項３】
前記第１結合部（２１０）と前記第２結合部（３１０）の結合構造は突起と孔の締まりばめによってなされることを特徴とする、請求項１に記載の踵交替型履物。
【請求項４】
前記第１結合部（２１０）と前記第２結合部（３１０）の形状は多角形又は鋸歯ギア形であることを特徴とする、請求項３に記載の踵交替型履物。
【請求項５】
前記交替用踵（３００）の下端には他の素材又は他の形態の機能踵（４００）をさらに含むことを特徴とする、請求項１に記載の踵交替型履物。
【考案の詳細な説明】
【技術分野】
【０００１】
本考案は踵交替型履物に関するもので、より詳しくは履物の踵部を使用者の用途及び趣向に応じて多様な形態の踵に簡便に交替することができるように構成し、履物を長期間使っても飽きないで環境に合わせて多様な機能を適用することができる技術に関するものである。
【背景技術】
【０００２】
一般に、履物は足に着用して室内又は室外で足を保護する役割を果たす。このような履物は多様なデザインで生産されており、足の安らかさのために構造が改善されている。
【０００３】
特に、靴の場合、履物の底の下部に踵が形成されているが、このような踵部は一番先に衝撃を受けて摩耗するから、一定の期間ごとに踵を修繕するか交替しなければならない煩わしさがあった。
【０００４】
また、靴踵の高さによってそれぞれの靴を備えなければならないなどの問題点があり、凍り付いた路面又は非鋪装路を歩くときには別途の機能性運動靴に履き替えなければならないなどの不便さがあった。
【０００５】
関連の先行技術として、韓国登録特許第１０−１２０１８４４号公報（着用及び交替の簡便な踵を備えた履物）には、底の後面に、着用者のきびすを高めるとともに荷重を緩和させることができる、着用及び交替の簡便な踵を備えた履物であって、前記踵は、前記底の後面下部に固定されて地面からの高さを維持し、上部側内面に上部空間部が形成され、下部側内面に下部空間部が形成され、これらの間に瓶首空間部が連結形成された踵本体と、前記踵本体の下部側内部に挿設され、その下端部には前記踵本体の下端部が地面に接触することを保護する踵保護段が形成され、上端部には、前記踵本体の内側上端部に弾性的に挿設されて装着されるか引っ張ることによって脱着される弾性着脱具が形成された踵底本体と、前記踵底本体の下部側内部に挿設され、その内部には弾性力を有する弾性スプリングが取り付けられ、前記弾性スプリングの中心にはこれを上下スライド可能にガイドする案内ロッドが固着される踵底緩衝部材とを含んでなる技術が開示されている。
【０００６】
前記先行技術は、構成が複雑であり、踵底緩衝部材のスプリングが老朽した場合、スプリングがキイキイきしむ騷音が発生する問題点があり、踵の全般的な長さ調節が不可能であるから、踵本体が損傷した場合に交替が難しい問題点がある。
【先行技術文献】
【特許文献】
【０００７】
【特許文献１】韓国登録特許第１０−１２０１８４４号公報
【考案の概要】
【考案が解決しようとする課題】
【０００８】
本考案は前記のような問題点を解決するために案出されたものであり、履物の踵部を使用者の用途及び趣向に合うように多様な形態の踵に選択して簡便に結合することができるように構成し、一つの履物本体で多様な踵高を演出することができ、環境によって踵の形態を変更して履物の機能性を向上させた踵交替型履物を提供することに目的がある。
【課題を解決するための手段】
【０００９】
本考案は、使用者の足裏全体を支持する底及び足の周辺を取り囲む甲皮からなる履物本体と、前記履物本体の底の底面部に突設され、第１結合部が形成されているベース踵と、前記ベース踵の下部に結合し、第１結合部に向き合う位置に第２結合部が形成されて互いに結合する交替用踵とを含んでなる。
【００１０】
前記第１結合部と第２結合部の結合構造は雌雄型ネジ締結によってなされることができる。
【００１１】
前記第１結合部と第２結合部の結合構造は突起と孔の締まりばめによってなされることができる。
【００１２】
前記第１結合部と第２結合部の形状は多角形又は鋸歯ギア形であってもよい。
【００１３】
前記交替用踵の下端には他の素材又は他の形態の機能踵をさらに含むことができる。
【考案の効果】
【００１４】
本考案は、履物本体の自体にベース踵を形成し、前記ベース踵に交替用踵を着脱することができるように構成することにより、交替用踵の形状による踵の高さ、形状、色相などを趣向に合わせて自由に変更することができ、履物を長期間使うことができる効果がある。
【００１５】
また、本考案は、交替用踵の下部に機能性を追加した機能踵をさらに構成することにより、非鋪装路のように凹凸の多い所で歩くときに衝撃を緩和するか冬季の凍り付いた路面又は滑らかな路面で滑り防止効果を得るなど、環境変化によって踵の形態を変更することができる。
【図面の簡単な説明】
【００１６】
【図１】本考案の踵交替型履物を示す底面斜視図である。
【図２】本考案の踵交替型履物を示す図である。
【図３】本考案による踵交替型履物の他の結合構造を示す底面斜視図である。
【図４】本考案の踵交替型履物において機能踵をさらに含む実施例を示す図である。
【図５】本考案の踵交替型履物において他の形態の機能踵をさらに含む実施例を示す図である。
【考案を実施するための形態】
【００１７】
以下、本考案の好適な実施例を添付図面に基づいて詳細に説明する。そして、本考案の説明において、関連した公知の機能又は構成についての具体的な説明が本考案の要旨を不必要にあいまいにする可能性があると判断される場合、その詳細な説明を省略する。
【００１８】
本考案は、図１に示すように、使用者の足裏全体を支持する底１１０及び足の周辺を取り囲む甲皮１２０からなる履物本体１００と、前記履物本体１００の底１１０の底面部から突設され、第１結合部２１０が形成されているベース踵２００と、前記ベース踵２００の下部に結合され、第１結合部２１０に向き合う位置に第２結合部３１０が形成されて互いに結合する交替用踵３００とを含んでなることを特徴とする。
【００１９】
前記履物本体１００は一般的な履物形態に必須な構成であり、履物の底１１０、甲皮１２０及びインソール（中敷き）を含む。
【００２０】
本考案のベース踵２００は履物本体１００の底１１０の底面部に形成されるもので、人体の踵に対応するように後方に形成される。前記ベース踵２００の中央には、交替用踵３００と結合することができるように、第１結合部２１０が形成されている。前記ベース踵２００は第１結合部２１０が自体に形成されているから、交替用踵３００を結合せずに使う場合、第１結合部２１０の摩耗や損傷によって交替用踵３００が円滑に結合されないこともある。
【００２１】
本考案の交替用踵３００はベース踵２００の下部に結合するもので、ベース踵２００の第１結合部２１０に向き合うに位置に第２結合部３１０が形成されて互いに結合することができるようにする構成である。すなわち、ベース踵２００と交替用踵３００の結合によって履物の踵を形成するものであり、多様な形態の交替用踵３００を多数備えて使用者が所望の交替用踵３００を選択して結合するものである。
【００２２】
前記ベース踵２００の第１結合部２１０と交替用踵３００の第２結合部３１０の結合構造は多様になることができる。一実施例として、図１及び図２に示すように、第１結合部２１０と第２結合部３１０の結合構造は雌雄型ネジ締結によってなることができる。雌型ネジと雄型ネジの方向は限定されないが、ベース踵２００の突出長より交替用踵３００の高さが大きい場合、ベース踵２００の第１結合部２１０を雄型に構成することが好ましい。
【００２３】
また、図３は第１結合部２１０と第２結合部３１０の結合構造の他の実施例を示すものであり、前記第１結合部２１０と第２結合部３１０の結合構造は突起と孔の締まりばめによってなされることができる。ここで、前記突起と孔は単純に円形になることができるが、多角形又は鋸歯ギア形になる場合、突起と孔が互いに噛み合うようにすることにより、結合した交替用踵３００が意図に反して回転することを防止することができる。
【００２４】
そして、本考案は、交替用踵３００の下端に他の素材又は他の形態の機能踵４００がさらに形成されることができる。前記機能踵４００は各種の使用環境による別途の機能を有する構成に相当する。
【００２５】
前記機能踵４００の一実施例として、図４に示すように、緩衝部材４１０が適用される場合、非鋪装路のような所で足に伝達される衝撃を最小化することができ、足首が挫ける現象を減らすことができる。前記緩衝部材４１０は、シリコン、ゴムのような弾性素材からなることが好ましい。
【００２６】
図５は機能踵４００の他の実施例として、機能踵４００の底部に鋸刃形態の滑り防止部４２０を形成して地面との摩擦力を高めるようにする。前記滑り防止部４２０は、冬季に凍り付いた路面又は滑らかな雨水路面でも倒れることを防止することができる。前記滑り防止部４２０が形成された機能踵４００の素材は交替用踵３００の素材より堅い素材からなることが良い。
【００２７】
このようになる機能踵４００は交替用踵３００に着脱されることよりは、別に製作されてボンドのような接着剤で付着されることが好ましい。
【００２８】
以上で本考案を前記実施例に基づいて説明したが、本考案の技術思想範囲内で多様な変形実施が可能であるのは言うまでもない。
【符号の説明】
【００２９】
１００    履物本体
１１０    底
１２０    甲皮
２００    ベース踵
２１０    第１結合部
３００    交替用踵
３１０    第２結合部
４００    機能踵
４１０    緩衝部材
４２０    滑り防止部
【図１】
0003226944.tif 000003
【図２】
0003226944.tif 000004
【図３】
0003226944.tif 000005
【図４】
0003226944.tif 000006
【図５】
0003226944.tif 000007